(57)【要約】【課題】表示装置に表示された項目ボタンを、これとは離れた位置にある入力デバイスで座標位置指定することにより選択決定を行う遠隔操作式入力装置において、その入力デバイスの構造を簡素化することができる遠隔操作式入力装置を提供する。【解決手段】車両に、入力系機器としてディスプレイ表示式入力装置を搭載する。このディスプレイ表示式入力装置は、車内のディスプレイ３にメニュー画面１９、目的地設定画面２３、オーディオ設定画面２５等の各種ボタン選択決定画面を表示し、ディスプレイ３から離れた遠隔入力デバイスでディスプレイ３上のボタンフォーカス２２を動かして所望の項目ボタン２０，２６を選択決定することにより、そのボタンに応じた各種車両搭載機能を車両に実行させる。これら各種画面１９，２３，２５に、選択した項目ボタン２０（項目ボタン２６）を決定する際に操作される決定ボタン２１（決定座標領域Ｅｂ）を割り付ける。【選択図】図３
2008152361.tif 000002
【特許請求の範囲】
【請求項１】
表示装置の画面に表示された各種項目ボタンの選択操作を、前記表示装置とは別部材の入力デバイスを用いて絶対位置指定により画面上の選択座標位置の位置合わせすることで行い、そのボタン選択状態で決定操作を行うことにより当該項目ボタンを選択決定する遠隔操作式入力装置において、
前記決定操作時に座標位置指定される決定領域が前記項目ボタンと同一画面上に割り付けられた機能選択決定画面を前記表示装置に表示する表示制御手段と、
前記選択座標位置が前記決定領域に入る直前の当該項目ボタンを操作者の操作要求ボタンとして認識し、当該項目ボタンの機能を実行させる機能実行手段と
を備えたことを特徴とする遠隔操作式入力装置。
【請求項２】
前記表示制御手段は、前記決定領域を前記項目ボタンとは他ボタンの決定ボタンとして表示することを特徴とする請求項１に記載の遠隔操作式入力装置。
【請求項３】
前記表示制御手段は、前記項目ボタンを前記画面上に複数表示し、どの前記項目ボタンからであっても共通の１つの前記決定領域を選択操作可能となるレイアウトで前記画面にボタン表示を行うことを特徴とする請求項１又は２に記載の遠隔操作式入力装置。
【請求項４】
前記表示制御手段は、前記項目ボタンの表示座標領域に、当該項目ボタンを選択操作する際に前記選択座標位置を位置させる選択座標領域と、選択した前記項目ボタンを決定する際に前記選択座標位置を位置させる決定領域としての決定座標領域とを割り付けし、
前記機能実行手段は、前記選択座標位置が前記決定座標領域に位置した際、当該選択座標位置が前記決定座標領域に位置する直前に前記選択座標位置が位置していた前記選択座標領域の機能を実行させることを特徴とする請求項１に記載の遠隔操作式入力装置。
【請求項５】
前記表示制御手段は、前記選択座標位置が位置した際に前記項目ボタンの項目を１つシフトして選択決定する選択決定座標領域を前記決定座標領域として割り付け、前記選択決定座標領域を当該シフト方向に応じて複数割り付けたことを特徴とする請求項４に記載の遠隔操作式入力装置。
【請求項６】
前記表示制御手段は、前記項目ボタンを前記表示装置の画面に複数表示し、前記選択座標位置を１つの前記項目ボタンから他の項目ボタンへ移動させる際に当該移動を許容する中立座標領域を前記画面に割り付け、隣同士に位置する前記項目ボタンを前記中立座標領域で繋ぐことを特徴とする請求項４又は５に記載の遠隔操作式入力装置。
【請求項７】
前記表示制御手段は、表示画面を前画面に戻す際に操作する戻り領域を、前記項目ボタン及び前記決定領域と同一画面上に割り付けて表示することを特徴とする請求項１〜６のうちいずれか一項に記載の遠隔操作式入力装置。
【請求項８】
前記選択座標位置で選択状態にある前記項目ボタンや座標領域が他ボタンや他座標領域に切り換わる際に、前記入力デバイスの操作に節度感を発生させる節度感発生機構を備えたことを特徴とする請求項１〜７のうちいずれか一項に記載の遠隔操作式入力装置。
【請求項９】
前記機能実行手段は、前記選択座標位置が前記決定領域に位置した際、その時に選択状態にある前記項目ボタンに応じた作動を直ちに実行することを特徴とする請求項１〜８のうちいずれか一項に記載の遠隔操作式入力装置。
【請求項１０】
車両搭載機器の入力系として使用されることを特徴とする請求項１〜９のうちいずれか一項に記載の遠隔操作式入力装置。
【発明の詳細な説明】
【技術分野】
【０００１】
本発明は、表示装置とは離れた位置にある入力デバイスで表示装置の画面の選択座標位置を移動させることにより、表示装置の画面に表示された各種ボタンの選択決定を行う遠隔操作式入力装置に関する。
【背景技術】
【０００２】
従来、車両においては、センタークラスター等にある画面上の各種機能ボタンの選択決定操作を手元の入力デバイスを用いて行うことが可能な遠隔操作式入力装置が広く開発されている。この種の遠隔操作式入力装置の一例が、例えば特許文献１等に開示されている。このような遠隔操作式入力装置においては、操作者の手元に位置する入力デバイスで画面上のカーソルやボタンフォーカスを動かして画面座標位置選択操作を行うことにより、画面上に割り付けられた各種項目ボタンを選択操作し、そのボタン選択状況下で入力デバイスに設けた決定スイッチを操作することで、画面上の項目ボタンを決定操作して機能決定を行う。
【特許文献１】特開２００６−２９９１７号公報
【発明の開示】
【発明が解決しようとする課題】
【０００３】
しかし、この場合は、入力デバイスに専用のスイッチ部品として決定スイッチや戻りスイッチを設ける構造であることから、入力デバイスの構成部品としてこの種のボタンが別途必要となり、入力デバイスの構造が複雑化する問題があった。特に、今どこの項目ボタンを選択操作しているかを入力デバイスの操作感として生じさせて操作者に画面操作位置を伝達する触覚フィードバック機能を入力デバイスに設けると、入力デバイスの構造複雑化が更に顕著になるので、このことも問題の一つとなっていた。
【０００４】
本発明の目的は、表示装置に表示された項目ボタンを、これとは離れた位置にある入力デバイスで座標位置指定することにより選択決定を行う遠隔操作式入力装置において、その入力デバイスの構造を簡素化することができる遠隔操作式入力装置を提供することにある。
【課題を解決するための手段】
【０００５】
前記問題点を解決するために、本発明では、表示装置の画面に表示された各種項目ボタンの選択操作を、前記表示装置とは別部材の入力デバイスを用いて絶対位置指定により画面上の選択座標位置の位置合わせすることで行い、そのボタン選択状態で決定操作を行うことにより当該項目ボタンを選択決定する遠隔操作式入力装置において、前記決定操作時に座標位置指定される決定領域が前記項目ボタンと同一画面上に割り付けられた機能選択決定画面を前記表示装置に表示する表示制御手段と、前記選択座標位置が前記決定領域に入る直前の当該項目ボタンを操作者の操作要求ボタンとして認識し、当該項目ボタンの機能を実行させる機能実行手段とを備えたことを要旨とする。
【０００６】
この構成によれば、表示装置の画面に表示された項目ボタンを選択決定する際は、まずは表示装置の画面に表示された機能選択決定画面の選択座標位置を、表示装置とは離れた位置にある入力デバイスを操作することにより、画面上の所望の項目ボタンに位置させて項目ボタンの選択を行う。そして、そのボタン選択状態で機能選択決定画面上の選択座標位置を入力デバイスにより同画面の決定領域に移動させ、選択指定した項目ボタンの機能を実行させる。よって、本構成においては、表示装置の画面上に決定ボタンが割り付けられているので、入力デバイスに機械的な決定スイッチを設けなくても済むことから、入力デバイスの構造を簡素なものとすることが可能となる。
【０００７】
本発明では、前記表示制御手段は、前記決定領域を前記項目ボタンとは他ボタンの決定ボタンとして表示することを要旨とする。
この構成によれば、表示装置の画面には決定ボタンが専用ボタンとして表示されているので、決定ボタンは目で見て分かることになり、決定ボタンを選択指定する際の指定操作が行い易い。
【０００８】
本発明では、前記表示制御手段は、前記項目ボタンを前記画面上に複数表示し、どの前記項目ボタンからであっても共通の１つの前記決定領域を選択操作可能となるレイアウトで前記画面にボタン表示を行うことを要旨とする。
【０００９】
この構成によれば、表示装置の画面レイアウトが例えば複数の項目ボタンで１つの決定領域を囲むようなデザインをとることになり、複数の項目ボタンで１つの決定領域を共用することが可能となる。このため、例えば項目ボタンごとに決定領域を設ける場合に比べ、画面上のボタン割り付けスペースを有効利用することが可能となる。
【００１０】
本発明では、前記表示制御手段は、前記項目ボタンの表示座標領域に、当該項目ボタンを選択操作する際に前記選択座標位置を位置させる選択座標領域と、選択した前記項目ボタンを決定する際に前記選択座標位置を位置させる決定領域としての決定座標領域とを割り付けし、前記機能実行手段は、前記選択座標位置が前記決定座標領域に位置した際、当該選択座標位置が前記決定座標領域に位置する直前に前記選択座標位置が位置していた前記選択座標領域の機能を実行させることを要旨とする。
【００１１】
この構成によれば、項目ボタンに決定座標領域を割り付けて項目ボタンに決定機能も持たせていることから、項目ボタンと個別の決定ボタンを画面に割り付ける必要がなくなり、画面ボタンレイアウトの自由度向上等に効果がある。
【００１２】
本発明では、前記表示制御手段は、前記選択座標位置が位置した際に前記項目ボタンの項目を１つシフトして選択決定する選択決定座標領域を前記決定座標領域として割り付け、前記選択決定座標領域を当該シフト方向に応じて複数割り付けたことを要旨とする。
【００１３】
この構成によれば、項目ボタンに割り付けられる選択決定座標領域を、選択及び決定の両機能を有する選択決定座標領域として複数設けるので、画面上の選択座標位置を選択決定座標領域に位置させることにより、その時に選択状態にある項目ボタンの項目を繰り上げ操作したり、或いは繰り下げ操作したりすることが可能となる。
【００１４】
本発明では、前記表示制御手段は、前記項目ボタンを前記表示装置の画面に複数表示し、前記選択座標位置を１つの前記項目ボタンから他の項目ボタンへ移動させる際に当該移動を許容する中立座標領域を前記画面に割り付け、隣同士に位置する前記項目ボタンを前記中立座標領域で繋ぐことを要旨とする。
【００１５】
この構成によれば、表示装置の画面に複数の項目ボタンを割り付けし、これら複数の項目ボタンを中立座標領域で繋ぐことにより、これら複数の項目ボタンの間を選択座標位置が行き来可能としたので、画面上の選択座標位置を複数の項目ボタン間で移動させて所定の項目ボタンを選択指定する選択決定操作を行うことが可能となる。
【００１６】
本発明では、前記表示制御手段は、表示画面を前画面に戻す際に操作する戻り領域を、前記項目ボタン及び前記決定領域と同一画面上に割り付けて表示することを要旨とする。
この構成によれば、表示装置の画面上に戻りボタン等の戻り領域が割り付けられているので、入力デバイスに機械的な戻りボタンを設けなくても済むことから、これは入力デバイスの更なる構造簡素化に効果が高い。
【００１７】
本発明では、前記選択座標位置で選択状態にある前記項目ボタンや座標領域が他ボタンや他座標領域に切り換わる際に、前記入力デバイスの操作に節度感を発生させる節度感発生機構を備えたことを要旨とする。
【００１８】
この構成によれば、例えば画面上の選択座標位置を項目ボタンから決定領域に操作する際、入力デバイスにその時の決定操作方向と反対方向の負荷を節度感発生機構により付与して入力デバイスに節度感が生じるようにすれば、項目ボタンを選択している際に誤って決定操作してしまう状況を生じ難くすることが可能となる。
【００１９】
本発明では、前記機能実行手段は、前記選択座標位置が前記決定領域に位置した際、その時に選択状態にある前記項目ボタンに応じた作動を直ちに実行することを要旨とする。
この構成によれば、選択座標位置が決定領域に位置操作されると、瞬時に機能動作が実行されるので、選択座標位置操作から機能実行までに要する時間を短時間化することが可能となり、決定操作時に違和感等が生じ難い。
【００２０】
本発明では、車両搭載機器の入力系として使用されることを要旨とする。
この構成によれば、項目ボタンと同一画面上に決定領域を設ければ、画面上の選択座標位置を変える項目ボタン選択の一連操作で決定領域も選択操作されることになる。よって、例えば入力デバイスに機械的な決定ボタンを設けた場合は、表示画面を見ながら座標位置選択操作を行い、その選択操作が完了してから機械式ボタンのボタン操作に移るという二段階操作が必要になるが、本構成のように表示装置の画面上に決定領域を割り付ければ、この種の二段階操作を経ずに決定操作を行うことが可能となり、項目ボタンの選択決定操作に要する操作時間の短縮化を図ることが可能となる。このため、画面上の項目ボタン選択決定操作に要する時間が軽減されれば、これは運転に集中できることに繋がり、運転の安全性確保という面からも効果が高い。
【発明の効果】
【００２１】
本発明によれば、表示装置に表示された項目ボタンを、これとは離れた位置にある入力デバイスで座標位置指定することにより選択決定を行う遠隔操作式入力装置において、その入力デバイスの構造を簡素化することができる。
【発明を実施するための最良の形態】
【００２２】
以下、本発明を具体化した遠隔操作式入力装置の一実施形態を図１〜図９に従って説明する。
図１に示すように、車両１には、車両各種動作を実行させる際の入力系機器としてディスプレイ表示式入力装置２が搭載されている。この種のディスプレイ表示式入力装置２は、車内のディスプレイ３にボタン選択決定画面４（１９，２３，２５：図３参照）を表示し、ディスプレイ３から離れた遠隔入力デバイス５でディスプレイ３上のボタンフォーカスやカーソルを動かして、ボタン選択決定画面４内の所望の項目ボタン６（２０，２６：図３参照）を選択決定することにより、その項目ボタン６に応じた各種車両搭載機器を車両１に実行させるシステムである。なお、ディスプレイ３が表示装置に相当し、遠隔入力デバイス５が入力デバイスに相当する。
【００２３】
ディスプレイ３は、例えばカラー液晶画面等から成り、車内のセンタークラスター位置に配置されている。ディスプレイ３は、各種車両搭載機器を操作する際の操作ボタンとして複数の各種項目ボタン６を表示するが、この種の項目ボタン６としては、例えばカーナビゲーション装置で現在位置表示や目的地設定等を行う際に操作するカーナビゲーション系ボタン、オーディオ装置で曲目選択や音量設定等を行う際に操作するオーディオ系ボタン、車両空調設備で温度設定や風向き設定等を行う際に操作するエアコンディショナー系ボタン等がある。
【００２４】
遠隔入力デバイス５は、車内のセンターコンソール位置に配置され、ディスプレイ３と電気配線（図示略）を通じて接続されている。遠隔入力デバイス５は、ディスプレイ３に表示されたボタンフォーカスやカーソル等の選択座標位置Ｐｘ（図３参照）を位置変更する際に用いられる入力機器であって、本例においては起立する操作レバー７をそのレバー基端を支点に傾到させることでディスプレイ３上のボタンフォーカスやカーソルを移動させるジョイスティック式である。
【００２５】
図２に示すように、遠隔入力デバイス５には、操作時に操作者が握る箇所である操作レバー７をそのレバー基端で支持する基部８が設けられている。この基部８には、車両前後方向（図２のＸ軸方向）に延設するＸ軸ガイド板９が、そのＸ軸回りに沿って回動可能に連結されている。Ｘ軸ガイド板９には、Ｘ軸方向に延びる長孔９ａが板一帯に亘り貫設されている。基部８には、車両左右方向（図２のＹ軸方向）に延設されたＹ軸ガイド板１０が、そのＹ軸回りに沿って回動可能でかつＸ軸ガイド板９と交差する配置状態で連結されている。Ｙ軸ガイド板１０には、Ｙ軸方向に延びつつＸ軸ガイド板の長孔９ａと交差する長孔１０ａが貫設されている。
【００２６】
操作レバー７は、その基端から延びるレバー軸７ａがＸ軸ガイド板９の長孔９ａとＹ軸ガイド板１０の長孔１０ａとの両孔に挿通した取り付け状態をとっている。このため、操作レバー７は、操作レバー７が操作者により傾到操作された際、Ｘ軸ガイド板９及びＹ軸ガイド板１０が各々回動する動きをとることにより、操作レバー７に対して交差する平面方向においてその３６０度を操作方向とするレバー傾到操作が許容されている。
【００２７】
遠隔入力デバイス５には、ディスプレイ表示式入力装置２を統括制御する演算装置１１が設けられている。演算装置１１は、操作レバー７が傾到操作された際の操作位置（操作量）を演算し、レバー操作者がディスプレイ３のどの座標位置を位置指定したのかをＸ−Ｙ座標系で求める。演算装置１１は、この時のディスプレイ３の選択座標位置検出を、操作レバー７の操作位置とディスプレイ３の画面座標位置とが一義的に決まる絶対位置検出で行う。
【００２８】
演算装置１１には、演算装置１１のコントロールユニットとしてコントローラ１２が設けられている。コントローラ１２は、ＣＰＵ１３やメモリ１４等の各種デバイスから成り、メモリ１４に格納された制御プログラムに従って作動することにより、ディスプレイ３のどの座標位置が遠隔入力デバイス５で選択されたのかを求める選択座標位置演算や、ディスプレイ３に各種画面を表示する画面表示制御を行う。コントローラ１２には、操作レバー７のＸ軸回りの傾到角度θｘ（図１参照）を検出するＸ軸エンコーダ１５が、演算装置１１内の第１Ａ／Ｄ変換回路１６を介して接続されている。また、コントローラ１２には、操作レバー７のＹ軸回りの傾到角度θｘを検出するＹ軸エンコーダ１７が、演算装置１１内の第２Ａ／Ｄ変換回路１８を介して接続されている。なお、コントローラ１２が表示制御手段及び機能実行手段を構成する。
【００２９】
コントローラ１２は、Ｘ軸エンコーダ１５の検出値からＸ軸ガイド板９の傾到角度、即ち操作レバー７のＸ軸側への傾到角度を演算するとともに、Ｙ軸エンコーダ１７の検出値からＹ軸ガイド板１０の傾到角度、即ち操作レバー７のＹ軸側への傾到角度を演算し、これら傾到角度の組み合わせを見ることにより、操作レバー７の操作位置（傾到角度θｘ）を演算する。コントローラ１２は、操作レバー７がどの操作位置にあればディスプレイ３上のどの座標位置が選択されているかの対応関係を絶対位置で把握していることから、こうして演算した操作レバー７の操作位置を見ることにより、ディスプレイ３上のどの座標位置が操作者によって選択されているのかを把握する。
【００３０】
コントローラ１２のメモリ１４には、ディスプレイ３に表示する各種画面の表示データＤpcが格納されている。コントローラ１２は、この表示データＤpcをディスプレイ３に表示させることにより、車両運転に関する各種画面をディスプレイ３に映し出す表示制御を行う。コントローラ１２は、初期動作画面として例えば図３に示すようなメニュー画面１９をディスプレイ３に表示する。メニュー画面１９には、車両１の各種機能設定を行う際のその項目選択時に操作される複数の選択用項目ボタン２０と、選択した選択用項目ボタン２０を決定する際に操作される決定ボタン２１とが割り付け表示されている。即ち、本例のメニュー画面１９は、決定ボタン２１をディスプレイ３上に表示する決定系表示式項目設定画面である。
【００３１】
各選択用項目ボタン２０，２０…は、ディスプレイ３に所定の座標範囲で割り付け表示され、遠隔入力デバイス５を用いたディスプレイ３上の選択座標位置Ｐｘが選択用項目ボタン２０の割付領域（選択座標領域）に画素単位で重なるとボタン選択を認識し、ボタンフォーカス２２（図３に示す点領域）で強調表示された状態となる。各選択用項目ボタン２０，２０…は、そのボタン単位ごとに１つのボタンフォーカス２２で選択的に表示され、選択される選択用項目ボタン２０が切り換わると、その切り換わり先の選択用項目ボタン２０にボタンフォーカス２２が移動して表示状態が切り換わる。また、この選択座標位置Ｐｘは、画面上に表示されないものであるが、例えばカーソルとして画面上に位置表示されてもよい。
【００３２】
メニュー画面１９に表示される選択用項目ボタン２０としては、現在地をディスプレイ３に表示する際に選択される現在地ボタン２０ａ、カーナビゲーション装置で目的地設定を行う際に選択される目的地設定ボタン２０ｂ、オーディオ装置の各種機能を設定する際に操作されるオーディオボタン２０ｃと、例えばG-Book等で取得した情報データをディスプレイ３に表示する際に選択される情報ボタン２０ｄ、車両１の作動状態をディスプレイ３に表示する際に選択される車両ボタン２０ｅ、車両空調設備の各種機能を設定する際に操作されるエアーコンディショナボタン２０ｆがある。複数存在するこれら選択用項目ボタン２０，２０…は、ディスプレイ３の画面周方向に沿って等間隔に割り付け配置されている。
【００３３】
メニュー画面１９の決定ボタン２１は、選択用項目ボタン２０と同様にディスプレイ３に所定の座標範囲で割り付け表示され、複数の選択用項目ボタン２０，２０…により囲まれる中央位置に配置されることにより、どの選択用項目ボタン２０，２０…からであっても直に選択可能となっている。決定ボタン２１は、遠隔入力デバイス５を用いたディスプレイ３上の選択座標位置Ｐｘが決定ボタン２１の割り付け領域に画素単位で重なるとボタン選択を認識し、決定ボタン２１が選択操作される直前に選択状態にあった選択用項目ボタン２０を瞬時に決定状態にする。メニュー画面１９で選択用項目ボタン２０を選択決定するに際しては、遠隔入力デバイス５でディスプレイ３の選択座標位置Ｐｘを移動させてボタンフォーカス２２を所望の選択用項目ボタン２０に位置させ、そのボタン選択状態で、遠隔入力デバイス５による選択座標位置を決定ボタン２１に合わせることにより行う。
【００３４】
各選択用項目ボタン２０，２０…は、ボタン選択機能のみを有するボタンであって、選択用項目ボタン２０，２０…を決定操作する際には、ディスプレイ３の選択座標位置Ｐｘを決定ボタン２１の割付領域（決定座標領域）に位置させて、その時のボタンフォーカス２２を決定ボタン２１に表示切り換えする動作が必要である。即ち、選択用項目ボタン２０を決定操作する際には、選択状態にあってボタンフォーカス２２されている選択用項目ボタン２０の座標領域から、選択座標位置Ｐｘを決定ボタン２１の座標領域に移動させるという操作、つまり選択座標位置Ｐｘをボタンフォーカス２２の外側に移動させる操作が必要となる。
【００３５】
ディスプレイ３は、メニュー画面１９で選択用項目ボタン２０の選択決定操作が行われると、その時に選択した選択用項目ボタン２０に応じた１階層下の表示画面に表示が移行する。例えば、メニュー画面１９で目的地設定ボタン２０ｂが選択決定されると、この時のディスプレイ３には、目的地設定方法を選択する目的地設定画面２３が表示される。目的地設定画面２３は、メニュー画面１９と同様のボタン割り付けデザインを有する決定系表示式項目設定画面であって、目的地の詳細設定用の各種選択用項目ボタン２０，２０…が画面周方向に沿って等間隔に割り付けられ、複数のこれら選択用項目ボタン２０，２０…の中央に決定ボタン２１が位置する割り付け配置をとっている。目的地設定画面２３において、複数存在する選択用項目ボタン２０，２０…の周囲全域には、１階層前の前画面のメニュー画面１９に表示を戻す際に操作される戻りボタン２４が割り付けられている。
【００３６】
また、メニュー画面１９でオーディオボタン２０ｃが選択決定されると、この時のディスプレイ３には、オーディオ装置の各種機能の詳細設定画面としてオーディオ設定画面２５が表示される。オーディオ設定画面２５には、オーディオ装置で各種機能設定を行う際のその項目設定時に操作される複数の決定機能付き項目ボタン２６，２６…が割り付け表示されている。各決定機能付き項目ボタン２６，２６…は、１つのボタンフォーカス２２で表示されるボタンを１ボタン単位とすると、１ボタンに選択機能及び決定機能の両機能が割り付けられている。即ち、本例のオーディオ設定画面２５は、１つの項目ボタンに選択機能のみならず決定機能を持たせて決定ボタンを省略した決定系省略式項目設定画面である。なお、各種画面４，１９，２３，２５が機能選択画面を構成する。
【００３７】
オーディオ設定画面２５に表示される決定機能付き項目ボタン２６，２６…としては、これが例えばラジオ機能の場合、ラジオの受信モードをＡＭやＦＭ等の各種モードの中から設定する際に操作されるモードボタン２６ａ、ラジオ受信周波数を設定する際に操作されるシークボタン２６ｂ、ボリューム音を設定する際に操作されるボリュームボタン２６ｃがある。複数存在するこれら決定機能付き項目ボタン２６，２６…は、ディスプレイ３の幅方向に沿って等間隔に並んで割り付け配置されている。
【００３８】
本例のオーディオ設定画面２５においては、各決定機能付き項目ボタン２６の表示座標領域に選択座標領域Ｅａと決定座標領域Ｅｂとが割り付けられており、選択座標位置Ｐｘが決定機能付き項目ボタン２６の選択座標領域Ｅａに選択操作されると、その決定機能付き項目ボタン２６が選択状態となってボタンフォーカス２２で強調表示される。そして、そのボタン選択状態で同項目の決定座標領域Ｅｂに選択座標位置Ｐｘを持ってくると、ボタンフォーカス２２の表示切換が行われることなく、選択状態の決定機能付き項目ボタン２６が決定状態となる。
【００３９】
また、決定機能付き項目ボタン２６，２６…は、そのボタンの設定対象となっているボタン項目を、１つのボタンで複数の項目内容（項目値）の中から所定の１つを選択決定することが可能なボタンである。即ち、決定機能付き項目ボタン２６の決定座標領域Ｅｂは、選択座標位置Ｐｘがこの座標領域に位置すると、項目内容を変更しつつそれを新たな設定項目として決定するという選択機能を有した決定座標領域として形成されている。このため、選択座標位置Ｐｘが決定機能付き項目ボタン２６の決定座標領域Ｅｂに位置すると、決定機能付き項目ボタン２６で選択決定されるボタン項目の項目内容（項目値）が次の内容に変更されて設定される。各決定機能付き項目ボタン２６，２６…の画面上部位置には、複数の項目内容（項目値）の中からその時に選択されている項目内容を表示する表示領域２７，２７…が各々割り付けられている。
【００４０】
本例の決定座標領域Ｅｂは、各決定機能付き項目ボタン２６で選択決定される項目内容を一方側に繰り上げる際に座標選択指定される第１選択決定座標領域Ｅb1と、同じく項目内容を他方側に繰り下げる際に座標選択指定される第２選択決定座標領域Ｅb2とから成る。例えば、決定機能付き項目ボタン２６がボリュームボタン２６ｃの場合、第１選択決定座標領域Ｅb1が１回操作される度にボリューム音が１段階ずつ上昇し、第２選択決定座標領域Ｅb2が１回操作される度にボリューム音が１段階ずつ下降する。なお、決定ボタン２１及び決定座標領域Ｅｂ（Ｅb1，Ｅb2）が決定領域を構成する。
【００４１】
また、オーディオ設定画面２５には、隣同士に位置する項目ボタン同士を繋ぐ中立座標領域Ｅｃが割り付けられている。本例においては、モードボタン２６ａ及びシークボタン２６ｂを繋ぐ第１中立座標領域Ｅc1と、シークボタン２６ｂ及びボリュームボタン２６ｃを繋ぐ第２中立座標領域Ｅc2とがある。選択座標位置Ｐｘがこれら中立座標領域Ｅc1，Ｅc2に位置していれば、どの決定機能付き項目ボタン２６，２６…も選択されていない中立状態となる。また、オーディオ設定画面２５には、決定機能付き項目ボタン２６，２６…の座標領域Ｅａ，Ｅｂ及び中立座標領域Ｅｃ以外の画面座標領域が戻り座標領域Ｅｄとして割り付けられている。選択座標位置Ｐｘが戻り座標領域Ｅｄに操作されると、１階層上の表示画面であるメニュー画面１９にディスプレイ３の表示が戻される。なお、戻りボタン２１及び戻り座標領域Ｅｄが戻り領域を構成する。
【００４２】
図２に示すように、遠隔入力デバイス５には、操作レバー７に節度感を付与することが可能な触覚フィードバック機構２８が設けられている。これを説明すると、遠隔入力デバイス５には、操作レバー７にＸ軸方向の負荷を付与可能なＸ軸モータ２９と、操作レバー７にＹ軸方向の負荷を付与可能なＹ軸モータ３０とが設けられている。Ｘ軸モータ２９は、自身のモータ軸がＸ軸ガイド板９の回動軸と同一軸心となる状態でＸ軸ガイド板９に連結され、演算装置１１内のＤ／Ａ変換器３１を通じてコントローラ１２に接続されている。Ｙ軸モータ３０は、自身のモータ軸がＹ軸ガイド板１０の回動軸と同一軸心となる状態でＹ軸ガイド板１０に連結され、演算装置１１内のＤ／Ａ変換器３２を通じてコントローラ１２に接続されている。なお、触覚フィードバック機構２８が節度感発生機構に相当する。
【００４３】
これらモータ２９，３０は、パルス信号を送ってロータを回転させる制御モータから成り、例えばステッピングモータ等が用いられている。操作レバー７は、ガイド板９，１０を介してモータ２９，３０に接続された状態となっているが、この種の制御モータは非通電時においてトルクフリーであることから、これらモータ２９，３０が制御モータであれば、操作レバー７がガイド板９，１０を介してモータ２９，３０に連結されていても、操作レバー７の傾到操作が許容される。コントローラ１２は、Ｘ軸エンコーダ１５及びＹ軸エンコーダ１７から取得する各検出値に基づき、操作レバー７に触覚を付与すべくモータ２９，３０を駆動制御する。
【００４４】
コントローラ１２は、遠隔入力デバイス５でディスプレイ３上の選択座標位置Ｐｘが位置操作される際、ディスプレイ３の選択座標位置Ｐｘが項目ボタン２０（選択座標領域Ｅａ）から決定ボタン２１（決定座標領域Ｅｂ）や戻りボタン２４（戻り座標領域Ｅｄ）に入る時、誤って決定操作や戻り操作されてしまう状況を生じ難くするために、決定操作される操作レバー７にその時の操作方向とは反対方向の節度感（触覚）を付与すべくモータ２９，３０を駆動する。このとき、コントローラ１２は、Ｘ軸モータ２９をＸ軸ガイド板９が回転する方向とは逆方向に回転させ、Ｙ軸モータ３０をＹ軸ガイド板１０が回転する方向とは逆方向に回転させることで、操作レバー７に節度感を付与する。
【００４５】
コントローラ１２は、Ｘ軸エンコーダ１５及びＹ軸エンコーダ１７から取得する検出値から操作レバー７の操作量を演算する際、この時のレバー操作量の時間当たり変化量を演算することにより、操作レバー７の操作速度を演算する。コントローラ１２は、モータ２９，３０を駆動して操作レバー７に触覚を付与する際、この時の操作レバー７の操作速度に応じた駆動力を発生するようにモータ２９，３０を駆動する。例えば、操作レバー７の操作速度が速い時は、モータ２９，３０の駆動速度を早くして操作レバー７に大きな節度感を生じさせ、操作レバー７の操作速度が遅い時は、モータ２９，３０の駆動速度を遅くして操作レバー７に小さな節度感を生じさせる。
【００４６】
次に、本例のディスプレイ表示式入力装置２の動作を説明する。
例えば、運転席のキーシリンダに挿し込まれた車両キーが回し操作されてイグニッションスイッチ（図示略）がＡＣＣ位置やオン位置に操作されると、ディスプレイ表示式入力装置２が起動状態となる。このとき、コントローラ１２は、ディスプレイ３に初期動作画面として図３に示すようなメニュー画面１９を表示させる。そして、車両１の各種車両搭載機器を作動させる場合、操作者はディスプレイ３から離れた位置にある遠隔入力デバイス５の操作レバー７を傾到操作することで、ディスプレイ３上の選択座標位置Ｐｘを位置操作してディスプレイ３上の各種ボタンを選択決定操作する。
【００４７】
このとき、コントローラ１２は、Ｘ軸エンコーダ１５及びＹ軸エンコーダ１７から取得する検出値を基に操作レバー７の操作位置を演算し、その操作位置を絶対位置でディスプレイ３上の選択座標位置Ｐｘとして認識する。操作者は、遠隔入力デバイス５の操作レバー７を傾到操作することにより、メニュー画面１９に表示された選択用項目ボタン２０，２０…の中から所望ボタンを選択する操作を行う。コントローラ１２は、選択座標位置Ｐｘが選択用項目ボタン２０，２０…のどれかの表示座標領域に重なると、これを以て選択用項目ボタン２０，２０…が操作者により選択されたと認識し、その選択用項目ボタン２０，２０…をボタンフォーカス２２で強調表示する。
【００４８】
続いて、ボタン選択を行った操作者は、操作レバー７を中央寄りに傾到操作することにより、ディスプレイ３の選択座標位置Ｐｘを決定ボタン２１に位置合わせする。コントローラ１２は、選択座標位置Ｐｘが決定ボタン２１の表示座標領域に重なると、これを以て決定ボタン２１が操作者により選択されたと認識し、決定動作が行われた旨の通知として決定ボタン２１をボタンフォーカス２２で強調表示する。コントローラ１２は、決定ボタン２１の選択操作を認識すると、選択座標位置Ｐｘが決定ボタン２１に入る直前に選択状態にあった選択用項目ボタン２０を操作要求ボタンとして認識し、その選択決定ボタンが有する機能に応じた各種処理を車両１に実施させる。
【００４９】
このとき、コントローラ１２は、操作者が操作レバー７で選択座標位置Ｐｘを決定ボタン２１に位置合わせてボタン決定操作を行う際、操作レバー７に節度感を付与すべく選択座標位置Ｐｘが決定ボタン２１に入る時に、操作者が決定操作を行う際の操作レバー７の操作方向と反対向きの方向の負荷を操作レバー７に付与する。コントローラ１２は、選択座標位置Ｐｘの画素単位の変化方向を見ることにより、操作レバー７の操作方向及び操作速度を逐次検出し、選択座標位置Ｐｘが決定ボタン２１に入った際に、その時の操作方向と逆向きでしかも操作レバー７の操作速度に応じた節度感が操作レバー７に付与されるべく、その時に適した駆動方向及び駆動量でモータ２９，３０を駆動する。
【００５０】
コントローラ１２は、メニュー画面１９で例えば目的地設定ボタン２０ｂが選択決定操作されると、目的地設定ボタン２０ｂのボタン機能であるカーナビゲーション装置の目的地設定を開始する動作に移り、ディスプレイ３に図３に示す目的地設定画面２３を表示する。コントローラ１２は、目的地設定画面２３をメニュー画面１９と同じボタン配列及びデザインでディスプレイ３に表示し、目的地設定画面２３でのボタン選択決定操作を、メニュー画面１９のときと同じ要領で実施する。コントローラ１２は、操作レバー７で戻りボタン２４が選択操作される際も、決定ボタン２１と同様の要領でモータ２９，３０を駆動制御して操作レバー７に節度感を付与する。
【００５１】
コントローラ１２は、メニュー画面１９でオーディオボタン２０ｃが選択決定操作されると、オーディオボタン２０ｃのボタン機能であるオーディオ装置の詳細設定を開始する動作に移り、ディスプレイ３に図３に示すオーディオ設定画面２５を表示する。このオーディオ設定画面２５は、メニュー画面１９や目的地設定画面２３とは異なり、１つのボタンフォーカス２２で強調表示される項目ボタンを１ボタン単位とすると、その１ボタンに選択機能及び決定機能の両機能が割り付けられた決定機能付き項目ボタン２６を複数表示した決定系省略式項目設定画面として表示される。
【００５２】
このとき、操作者が遠隔入力デバイス５の操作レバー７を操作して、例えばオーディオ設定画面２５上の選択座標位置Ｐｘをボリュームボタン２６ｃの選択座標領域Ｅａに位置させたとする。コントローラ１２は、選択座標位置Ｐｘがボリュームボタン２６ｃの選択座標領域Ｅａに重なったことを認識すると、これを以てボリュームボタン２６ｃが操作者により選択状態にあると認識し、ボリュームボタン２６ｃをボタンフォーカス２２で強調表示する。このとき、ボリュームボタン２６ｃの画面上部位置にある表示領域２７には、その時に決定状態にあるボリューム音の値が表示されている。
【００５３】
続いて、オーディオ装置のボリューム音を上昇する場合、操作者は遠隔入力デバイス５の操作レバー７を操作し、オーディオ設定画面２５の選択座標位置Ｐｘを、オーディオ設定画面２５上に表示された「△」に位置させるイメージで第１選択決定座標領域Ｅb1に位置移動する。コントローラ１２は、選択座標位置Ｐｘがボリュームボタン２６ｃの第１選択決定座標領域Ｅb1に重なったことを認識すると、これを以てボリュームボタン２６ｃがボリュームアップ操作されたと認識し、オーディオ装置のボリューム音を１段階上昇させ、選択座標位置Ｐｘが第１選択決定座標領域Ｅb1に位置操作される度にボリューム音を１段階ずつ上昇させる。
【００５４】
このとき、選択座標位置Ｐｘがボリュームボタン２６ｃの選択座標領域Ｅａから同ボタン２６ｃの第１選択決定座標領域Ｅb1に移動操作されたとしても、この時は表示領域２７の項目値が変化するのみであって、他の決定系ボタンにボタンフォーカス２２が移動するなどの表示切り換えは行われず、ボタンフォーカス２２はボリュームボタン２６ｃを表示したままの状態を維持する。なお、ボリュームボタン２６ｃで決定操作が行われる際、ボタンフォーカス２２の移動切り換えは行われないものの、決定動作時に例えばボリュームボタン２６ｃを点滅表示させることでボタン決定操作が行われたことを操作者に通知してもよい。
【００５５】
一方、オーディオ装置のボリューム音を下降する場合、操作者は遠隔入力デバイス５の操作レバー７を操作し、オーディオ設定画面２５の選択座標位置Ｐｘを、オーディオ設定画面２５上に表示された「▽」に位置させるイメージで第２選択決定座標領域Ｅb2に位置移動する。コントローラ１２は、選択座標位置Ｐｘがボリュームボタン２６ｃの第２選択決定座標領域Ｅb2に重なったことを認識すると、これを以てボリュームボタン２６ｃがボリュームダウン操作されたと認識し、オーディオ装置のボリューム音を１段階下降させ、選択座標位置Ｐｘが第２選択決定座標領域Ｅb2に位置操作される度にボリューム音を１段階ずつ下降させる。
【００５６】
このとき、コントローラ１２は、操作者が操作レバー７で選択座標位置Ｐｘを決定座標領域Ｅｂに位置合わせしてボタン決定操作を行う際、メニュー画面１９や目的地設定画面２３等の決定系表示式項目設定画面のときと同様に、操作レバー７に節度感を付与すべく選択座標位置Ｐｘが決定座標領域Ｅｂに入る時に、操作者が決定操作を行う際の操作レバー７の操作方向と反対向きの方向の負荷を操作レバー７に付与して操作レバー７に節度感を付与する。また、コントローラ１２は、操作者が操作レバー７で選択座標位置Ｐｘを戻り座標領域Ｅｄに位置合わせして画面戻り操作を行う際も、ボタン決定操作時と同様の要領で操作レバー７に節度感を付与する。
【００５７】
また、ボリュームボタン２６ｃからシークボタン２６ｂに選択座標位置Ｐｘを切り換える際には、ボリュームボタン２６ｃ及びシークボタン２６ｂは第２中立座標領域Ｅc2で連結されていることから、選択座標位置をボリュームボタン２６ｃからこの第２中立座標領域Ｅc2を通してシークボタン２６ｂへ移動させることにより行う。このとき、ボタンフォーカス２２の表示形式は、選択座標位置Ｐｘがシークボタン２６ｂに入るまでボタンフォーカス２２がボリュームボタン２６ｃを強調表示していてもよいし、或いは第２中立座標領域Ｅc2にあるときはボタンフォーカス２２が消灯する表示形式のどちらをとってもよい。
【００５８】
従って、本例においては、ディスプレイ３の画面上に決定ボタン２１が割り付けられていることから、遠隔入力デバイス５に機械的な決定ボタン２１を設けずに済むことから、遠隔入力デバイス５の構造を簡素化することができる。また、本例のように遠隔入力デバイス５にモータ２９，３０から成る触覚フィードバック機構２８を設けると、この部品の配置スペースが必要となることから、仮に遠隔入力デバイス５に決定ボタンが必要となると、決定ボタンの配置スペースに支障を来したり、遠隔入力デバイス５の装置大型化の懸念が生じたりするが、本例の場合はこれら問題を考えずに済む点も効果が高い。
【００５９】
また、ディスプレイ３に表示されるボタン選択決定画面４は、図３に示す画面とは異なるボタンレイアウトをとる画面でもよく、以下にその具体例を列挙する。
・  ディスプレイ３の決定系表示式項目設定画面（メニュー画面１９、目的地設定画面２３）は、図４に示すように、選択用項目ボタン２０，２０…が一方向（図４は画面上下方向）に並んだ画面でもよい。
【００６０】
・  ディスプレイ３の決定系表示式項目設定画面（メニュー画面１９、目的地設定画面２３）に、図４に示すようなスクロールボタン３３，３４を設け、このスクロールボタン３３，３４が操作されると、それまで隠れていた他の選択用項目ボタン２０，２０…が表示されるようにしてもよい。この場合、選択用項目ボタン２０，２０…が多岐に亘る場合であっても、これら選択用項目ボタン２０，２０…を効率よくディスプレイ３に表示することができる。
【００６１】
・  ディスプレイ３の決定系表示式項目設定画面（メニュー画面１９、目的地設定画面２３）は、図５に示すように、選択用項目ボタン２０，２０…の周りの座標領域に決定ボタン２１（決定座標領域）を割り付けられていてもよい。
【００６２】
・  ディスプレイ３の決定系表示式項目設定画面（メニュー画面１９、目的地設定画面２３）は、図６に示すように、２つの選択用項目ボタン２０，２０ずつで１つの決定ボタン２１を共用するボタンレイアウトでもよい。
【００６３】
・  決定系省略式項目設定画面（オーディオ設定画面２５）の決定機能付き項目ボタン２６，２６…は、図７に示すように、メニュー画面１９のボタン群のように選択座標領域Ｅａと決定座標領域Ｅｂ（Ｅb1，Ｅb2）とが各々独立した操作ボタンとして割り付け表示されるものでもよい。この場合、１つの決定機能付き項目ボタン２６は、選択座標領域Ｅａが選択ボタン３５として割り付けられるとともに、各選択決定座標領域Ｅb1，Ｅb2が選択決定ボタン３６，３７として割り付けられる。そして、選択座標領域Ｅａが選択ボタン３５に位置すると選択ボタン３５がボタンフォーカス２２により強調表示され、その選択状態から選択座標位置Ｐｘが例えば画面上側の選択決定ボタン３６に選択指定されると項目が繰り上げ設定される。
【００６４】
・  決定系省略式項目設定画面（オーディオ設定画面２５）の決定機能付き項目ボタン２６，２６…は、図８に示すように、メニュー画面１９のボタン群のように１つの選択系ボタンに対して決定系ボタンが１つずつ存在するボタン群でもよい。この場合、１つの決定機能付き項目ボタン２６は、項目を１つずつ繰り上げる際に操作される繰上選択ボタン３８と、その繰上選択ボタン３８用で決定機能のみ有する決定ボタン３９と、項目を１つずつ繰り下げる際に操作される繰下選択ボタン４０と、その繰下選択ボタン４０用で決定機能のみ有する決定ボタン４１とのボタン群から成る。なお、繰上選択ボタン３８及び繰下選択ボタン４０が項目ボタンを構成する。
【００６５】
・  図３に示す決定系省略式項目設定画面（オーディオ設定画面２５）は、１つの決定機能付き項目ボタン２６内で選択座標位置Ｐｘを一方の選択決定座標領域から他方の選択決定座標領域に移動させる際の移動経路を１つの選択決定経路４２とすると、図９（ａ）に示すように３つの選択決定経路４２，…から成る座標レイアウトで表現可能である。これを前提とすると、決定系省略式項目設定画面（オーディオ設定画面２５）は、例えば図９（ｂ）に示すように１つの選択決定経路４２が片側のみ移動可能である場合や、図９（ｃ）に示すように選択決定経路４２が２つの場合や、図９（ｄ）に示すように１つの選択決定経路４２のみ両側に移動可能である場合や、図９（ｅ）に示すように選択決定経路４２が１つのみ場合でもよい。
【００６６】
本実施形態の構成によれば、以下に記載の効果を得ることができる。
（１）車両搭載機器の入力系としてディスプレイ３に表示されるボタン選択決定画面４に決定ボタン２１（決定座標領域Ｅｂ）を割り付けたので、ディスプレイ３の画面の選択座標位置Ｐｘを移動する際に操作される遠隔入力デバイス５に、機械的な決定ボタンを設けなくても済むことから、遠隔入力デバイス５の構造を簡素化することができる。なお、これはボタン選択決定画面４に戻りボタン２４（戻り座標領域Ｅｄ）を割り付けたことによっても言えることである。
【００６７】
（２）メニュー画面１９には決定領域として専用ボタンから成る決定ボタン２１が表示されているので、操作者は決定ボタン２１の位置範囲を目視で確認可能となり、決定ボタン２１を選択指定する際の指定操作が行い易い。
【００６８】
（３）メニュー画面１９に決定ボタン２１を割り付ける際、このメニュー画面１９に複数表示されるどの選択用項目ボタン２０，２０…からでも共通の１つの決定ボタン２１を選択指定することが可能なボタンレイアウトとしたので、例えば各項目ボタンごとに決定ボタン２１を設ける場合に比べて用意する決定ボタン個数が少なく済み、画面上のボタン割り付けスペースを有効利用することができる。
【００６９】
（４）オーディオ設定画面２５の各項目ボタンは選択機能及び決定機能の両機能が割り付けられた決定機能付き項目ボタン２６，２６…であるので、この種の項目ボタンに独立した決定系ボタンを割り付ける必要がなくなり、画面ボタンレイアウトの自由度を向上することができる。また、決定機能付き項目ボタン２６，２６…で決定操作を行った際には、その時のボタンフォーカス２２は決定機能付き項目ボタン２６，２６…を強調表示するままの状態をとることから、ボタンフォーカス２２を他ボタンへ表示切り換えする表示処理を行わずに済む。
【００７０】
（５）オーディオ設定画面２５の決定機能付き項目ボタン２６，２６…に、決定機能付き項目ボタン２６，２６…の詳細項目を繰り上げ設定する際に操作する第１選択決定座標領域Ｅb1と、決定機能付き項目ボタン２６，２６…の詳細項目を繰り下げ設定する際に操作する第２選択決定座標領域Ｅb2との２つの選択決定領域を割り付けている。このため、遠隔入力デバイス５を操作してオーディオ設定画面２５の選択座標位置Ｐｘをこれら第１選択決定座標領域Ｅb1や第２選択決定座標領域Ｅb2に位置させれば、決定機能付き項目ボタン２６，２６…のボタンフォーカス２２が他ボタンへ表示切り換えされない状態で、その時に選択状態にある決定機能付き項目ボタン２６，２６…の詳細項目を繰り上げ設定したり、或いは繰り下げ設定したりすることができる。
【００７１】
（６）オーディオ設定画面２５には複数の決定機能付き項目ボタン２６，２６…が表示されているが、これら決定機能付き項目ボタン２６，２６…は隣同士のものを中立座標領域で繋ぎ、選択座標位置Ｐｘをこれら複数の決定機能付き項目ボタン２６，２６…で行き来することを可能としている。このため、選択機能及び決定機能の両機能を持つ決定機能付き項目ボタン２６がオーディオ設定画面２５のように複数表示されていても、これら決定機能付き項目ボタン２６，２６…のうちの１つを問題なく選択決定操作することができる。
【００７２】
（７）遠隔入力デバイス５には触覚フィードバック機構２８が設けられているので、遠隔入力デバイス５を用いて画面上の項目ボタン２０，２６を選択操作している際に、誤って他座標領域の決定ボタン２１（決定座標領域Ｅｂ）や戻りボタン２４（戻り座標領域Ｅｄ）を選択してしまう状況が生じ難くなり、ボタン選択操作の操作性を向上することができる。
【００７３】
（８）メニュー画面１９で選択座標位置Ｐｘが選択用項目ボタン２０，２０…から決定ボタン２１に入ったり、或いはオーディオ設定画面２５で選択座標位置Ｐｘが選択座標領域Ｅａから決定座標領域Ｅｂに入ったりすると、その時に選択決定された機能が瞬時に実行動作に移るので、項目ボタン２０，２６の選択操作から決定操作を伴う機能実行までに要する時間を短時間化することができ、例えばタイムラグ等が原因で生じ得る決定操作時の違和感等を生じ難くすることができる。
【００７４】
（９）ボタン選択決定画面４に決定ボタン２１や決定座標領域Ｅｂを割り付けて、項目ボタン２０，２６と決定ボタン２１（決定座標領域Ｅｂ）とを同一画面上に割り付ければ、画面上の選択座標位置Ｐｘを変える座標選択操作の一連操作で決定操作も行うことになる。よって、例えば遠隔入力デバイス５に機械的な決定ボタン２１が存在する構造の場合は、ディスプレイ３の画面を見ながら選択座標位置Ｐｘの選択操作を行い、その選択操作が完了した後に機械的ボタンのボタン操作に移るという二段階操作が必要となるが、これは決定操作に際して画面上の選択座標位置Ｐｘがずれる可能性も否定できない。しかし、本例の場合はこのような二段階操作が不要となるので、選択決定操作のやり直しが生じ難くなるので、項目ボタン２０，２６の決定操作時に要する操作時間の短縮化を図ることができる。特に、本例のディスプレイ表示式入力装置２を車両１に採用した場合、項目ボタン２０，２６の選択決定操作に要する操作時間が軽減されれば、これは運転に集中できることに繋がり、運転の安全性確保という面からも効果が高い。
【００７５】
なお、本実施形態はこれまでの構成に限定されず、以下の態様に変更してもよい。
・  遠隔入力デバイス５の構造は、操作レバー７を傾到操作することでディスプレイ３の画面座標位置を選択指定するジョイスティック式に限らず、例えば図１０に示すようなスライド式でもよい。遠隔入力デバイス５がスライド式の場合、操作者が手にする操作ノブ４３が第１ワイヤ４４を介して一対のＸ軸スライダ４５ａ，４５ｂに取り付け固定され、第２ワイヤ４６を介して一対のＹ軸スライダ４７ａ，４７ｂに取り付け固定されている。Ｘ軸スライダ４５ａ，４５ｂは一対のＸ軸ガイドレール４８ａ，４８ｂに沿ってＸ軸方向にスライド移動可能であり、Ｙ軸スライダ４７ａ，４７ｂは一対のＹ軸ガイドレール４９ａ，４９ｂに沿ってＹ軸方向にスライド移動可能である。そして、Ｘ軸スライダ４５ａ，４５ｂの移動位置をＸ軸ポテンショメータ５０で検出し、Ｙ軸スライダ４７ａ，４７ｂの移動位置をＹ軸ポテンショメータ５１で検出し、これらポテンショメータ５０，５１から取得する検出値を基に操作ノブ４３の操作量を演算し、その演算値から操作者によるその時々のディスプレイ３上の選択座標位置Ｐｘを求めることになる。
【００７６】
・  触覚フィードバック機構２８は、必ずしもモータ２９，３０を用いたモータ式に限らず、これは例えば電磁ソレノイドを用いたソレノイド式でもよい。
・  ボタン選択決定画面４において、決定ボタン２１は複数の項目ボタン２０，２０…の間で共用されることに限定されず、例えば各項目ボタン２０，２０…ごとに専用の決定系ボタンを設けてもよい。
【００７７】
・  オーディオ設定画面２５の決定機能付き項目ボタン２６は、例えば十字キーボタンでもよい。
・  ボタン選択決定画面４の階層は、メニュー画面１９から目的地設定画面２３（オーディオ設定画面２５）の２層に限定されず、これは３層以上としてもよい。
【００７８】
・  本例のディスプレイ表示式入力装置２の採用対象は、必ずしも車両１に限定されず、これは例えばパーソナルコンピュータの入力装置でもよく、その採用対象は特に限定されない。
【００７９】
次に、上記実施形態及び別例から把握できる技術的思想について、それらの効果とともに以下に追記する。
（１）請求項２〜１１のいずれか一項において、前記表示制御手段は、前記項目ボタンを前記画面上に複数表示し、複数の前記項目ボタンのうちの少なくとも２つで１つの前記決定ボタンを共通に使用するレイアウトで前記画面にボタン表示を行う。この場合、複数の項目ボタンで１つの決定ボタンを共用するので、画面上に表示させる決定ボタンの総数が少なく済み、画面上のボタン配置スペースを有効利用することが可能となる。
【００８０】
（２）請求項１〜１１のいずれか一項において、前記表示制御手段は、前記画面上に複数表示させた前記項目ボタンで前記決定ボタンを囲むように前記画面上にボタン表示する。この場合、表示装置の画面レイアウトが項目ボタン群の中央に決定ボタンが位置するレイアウトとなるので、複数の項目ボタンの中から所望ボタンを選択して決定する操作を行うに際して、この一連の選択決定操作を違和感のないスムーズな操作とすることが可能となる。
【００８１】
（３）請求項４〜１１のいずれか一項において、前記表示制御手段は、前記選択座標位置が位置した際に前記項目ボタンの項目を１つ繰り上げて選択決定する選択決定座標領域として前記決定座標領域を割り付ける。
【００８２】
（４）請求項１〜１１のいずれか一項において、前記表示制御手段は、前記画面上に隠れている他の項目ボタンを当該画面にスクロール表示する際に操作するスクロールボタンを表示する。この場合、例えば項目ボタンの数が１つの画面上に配置できない程に多岐に亘ったとしても、通常はこれら項目ボタンの一部を隠し状態としておき、スクロールボタンが操作された際にこの隠しボタンを表示するようにすれば、これに対応することが可能となる。
【図面の簡単な説明】
【００８３】
【図１】一実施形態における車内の具体例を示す斜視図。
【図２】ディスプレイ表示式入力装置の概略構成を示す構成図。
【図３】車内のディスプレイに表示される各種画面の画面図。
【図４】他のボタンレイアウトから成るメニュー画面の画面図。
【図５】他のボタンレイアウトから成るメニュー画面の画面図。
【図６】他のボタンレイアウトから成るメニュー画面の画面図。
【図７】他のボタンレイアウトから成るオーディオ設定画面の画面図。
【図８】他のボタンレイアウトから成るオーディオ設定画面の画面図。
【図９】（ａ）〜（ｅ）オーディオ設定画面の他のボタンレイアウトの具体例を示す概念図。
【図１０】遠隔入力デバイスがスライド式の場合の概略構成図。
【符号の説明】
【００８４】
３…表示装置としてのディスプレイ、４，１９，２３，２５…機能選択決定画面としての各種画面、５…入力デバイスとしての遠隔入力デバイス、６、２０、２６…各種項目ボタン、１２…表示制御手段及び機能実行手段を構成するコントローラ、２１…決定領域を構成する決定ボタン、２４…戻り領域を構成する戻りボタン、２８…節度感発生機構としての触覚フィードバック機構、３６，３７，３９，４１…決定ボタン、Ｐｘ…選択座標位置、Ｅａ…選択座標領域、Ｅｂ…決定領域を構成する決定座標領域、Ｅb1，Ｅb2…決定領域及び決定座標領域を構成する選択決定座標領域、Ｅｃ（Ｅc1，Ｅc2）…中立座標領域、Ｅｄ…戻り領域を構成する戻り座標領域。
【図１】
2008152361.tif 000003
【図２】
2008152361.tif 000004
【図３】
2008152361.tif 000005
【図４】
2008152361.tif 000006
【図５】
2008152361.tif 000007
【図６】
2008152361.tif 000008
【図７】
2008152361.tif 000009
【図８】
2008152361.tif 000010
【図９】
2008152361.tif 000011
【図１０】
2008152361.tif 000012